(57)【要約】【課題】組立作業及び分解作業時の工数を削減する。【解決手段】ロック機構を構成する第１固定具２５を球通路２３に、第２固定具を遊技盤４に設ける。各制御回路基板と球通路２３とが一体に組み付けられた制御回路ユニットを遊技盤４に取り付ける場合に、第１固定具２５を取付位置に保持したまま、第１固定具２５の係止部２５ａを第２固定具の開口３１ａに挿通させる。その後、第１固定具２５を取付位置から保持位置に回転させることで、第１固定具２５と第２固定具とが係合し、遊技盤４の後面に制御回路ユニットが固定保持される。【選択図】        図７
2004174212.tif 000002
【特許請求の範囲】
【請求項１】
遊技を行うための遊技領域が形成された遊技盤を備えた遊技機において、
遊技機に配設する制御回路装置と、この制御回路装置を取り付ける支持部材とを制御回路ユニットからなる一体のユニットとして構成し、
前記制御回路ユニットと前記遊技盤とを係合して保持するロック機構を、前記制御回路ユニット又は前記遊技盤の少なくとも一方に設けたことを特徴とする遊技機。
【請求項２】
遊技を行うための遊技領域が形成された遊技盤と、遊技盤面又は遊技機内部の少なくともいずれか一方に配設された各種装置を作動させるための制御回路装置とを備えた遊技機において、
前記制御回路装置は、前記遊技領域とは反対側となる後面に設置される支持部材に取り付けられた制御回路ユニットとして遊技盤に取り付けられるとともに、前記制御回路ユニットを遊技盤の後面に着脱自在に保持するためのロック機構を、少なくとも前記遊技盤又は制御回路ユニットのいずれか一方に設けたことを特徴とする遊技機。
【請求項３】
前記ロック機構を、前記遊技盤に制御回路ユニットを取り付けるときの取付位置と、前記遊技盤と制御回路ユニットとを一体に保持可能とするための保持位置との間で移動可能な係止部を有する第１の固定具と、前記取付位置では前記係止部の少なくとも一部を挿通させ、前記保持位置では前記係止部の移動によって係合する係合穴を有する第２の固定具とから構成し、前記第１の固定具を前記遊技盤又は制御回路ユニットの一方に、前記第２の固定具を他方に設けたことを特徴とする請求項１又は２記載の遊技機。
【請求項４】
前記第１の固定具に設けられる係止部は、前記係合穴に挿通される差込み部となることを特徴とする請求項３記載の遊技機。
【請求項５】
前記第１の固定具に設けられる係止部は、前記係合穴に挿通される差込み部と、前記取付位置と保持位置との間で移動させるための操作部とを兼用していることを特徴とする請求項４記載の遊技機。
【請求項６】
前記ロック機構を、前記遊技盤に制御回路ユニットを取り付けるときの取付位置と、前記遊技盤と制御回路ユニットとを一体に保持可能とするための保持位置との間で移動可能な係止フック部を有する第１の固定具と、前記保持位置にて前記係止フック部と係合させる移動空間を備えた係合部を有する第２の固定具とから構成し、前記第１の固定具を前記遊技盤又は制御回路ユニットの一方に、前記第２の固定具を他方に設けたことを特徴とする請求項１又は２記載の遊技機。
【請求項７】
前記支持部材を、少なくとも前記制御回路装置を組み付け得る組付け部を備えた部材と、前記ロック機構を構成する第１の固定具又は第２の固定具を備えた部材とを含む複数の部材から構成したことを特徴とする請求項１〜６いずれか記載の遊技機。
【請求項８】
前記ロック機構により一体化された遊技盤及び制御回路ユニットは、封印処理をして前記遊技機の遊技盤取付け部に組み込むことを特徴とする請求項１〜７いずれか記載の遊技機。
【発明の詳細な説明】
【０００１】
【発明の属する技術分野】
本発明は、パチンコ店等の遊技場に設置して使用されるパチンコ機等の遊技機に関するものである。
【０００２】
【従来の技術】
遊技場に設置される遊技機としてパチンコ機が挙げられる。このパチンコ機にはパチンコ球等の遊技媒体が打ち出される遊技領域が形成された遊技盤が取付け部となる本体枠内に配設され、その遊技盤の前面を窓部を有する開閉自在な前面枠により被覆される構成となっている。遊技盤面には、遊技領域を規定又は遊技媒体を誘導するためのレールが取り付けられるとともに、遊技領域内には障害釘や風車等の他に、電動チューリップや入賞チャッカー、アタッカー等の入賞装置が配設されている。
【０００３】
このような遊技領域に対して反対側となる後面には、入賞チャッカーやアタッカー等に設けられた入賞口に入ったパチンコ球を、所定の受け部へとガイドする誘導リブからなる所謂球通路を備えた支持部材が一般的に取り付けられている。この支持部材の後面には、パチンコ機を制御するための主制御回路基板（装置）、ランプ制御回路基板（装置）及び音声制御回路基板（装置）等の制御回路基板の他に、特別図柄表示装置となる液晶表示（ＬＣＤ）パネル等が組み付けられている。これにより、遊技盤を取り外した場合には、各制御回路基板が組み付けられている支持部材を同時に本体枠側にある遊技盤取付け部から取り外すことができるので、組み付けの際の作業性を向上させることが可能となる。
【０００４】
【発明が解決しようとする課題】
しかしながら、上記支持部材は遊技盤の背面に釘やネジ等により容易に取り外せないように頑強に固定されるので、パチンコ機の組付作業時の工数が多くなるという問題がある。一方、回収されたパチンコ機は人の手による分解作業が行われるが、手間がかかり作業性が悪く支持部材を壊してしまうことがあり、リサイクル性が悪いという問題がある。
【０００５】
本発明は、組立作業及び分解作業を容易に行えるようにし、かつリサイクル性を向上させた遊技機を提供することを目的とする。
【０００６】
【課題を解決するための手段】
上記目的を達成するために、本発明の遊技機は、遊技を行うための遊技領域が形成された遊技盤を備えたものであり、遊技機に配設する制御回路装置と、この制御回路装置を取り付ける支持部材とを制御回路ユニットからなる一体のユニットから構成するとともに、前記制御回路ユニットと前記遊技盤とを係合して保持するロック機構を、前記制御回路ユニット又は前記遊技盤の少なくとも一方に設けたものである。なお、本発明における遊技領域とは、遊技の際に遊技媒体を流下させる移動範囲が遊技盤面内に設けられたものを含む。また、制御回路装置は、遊技状態に応じて所定の出力態様を行う各種装置を作動（制御）させる制御装置、或いは、遊技情報を表示又は告知するための図柄（可変）表示装置、ランプ装置、音声装置の少なくともいずれかを含むものとする。
【０００７】
また、本発明の遊技機は、遊技を行うための遊技領域が形成された遊技盤と、遊技盤面又は遊技機内部の少なくともいずれか一方に配設された各種装置を作動させるための制御回路装置とを備えたものであり、前記制御回路装置は、前記遊技領域とは反対側となる後面にて設置される支持部材に取り付けられた制御回路ユニットとして遊技盤に取り付けられるとともに、前記制御回路ユニットを遊技盤の後面に着脱自在に保持するためのロック機構を、少なくとも前記遊技盤又は制御回路ユニットのいずれか一方に設けたものである。
【０００８】
また、前記ロック機構を、前記遊技盤に制御回路ユニットを取り付けるときの取付位置と、前記遊技盤と制御回路ユニットとを一体に保持可能とするための保持位置との間で移動可能な係止部を有する第１の固定具と、前記取付位置では前記係止部の少なくとも一部を挿通させ、前記保持位置では前記係止部の移動によって係合する係合穴を有する第２の固定具とから構成し、前記第１の固定具を前記遊技盤又は制御回路ユニットの一方に、前記第２の固定具を他方に設けたことが好ましい。なお、前記第１の固定具に設けられる係止部は、前記係合穴に挿通される差込み部となることが好ましい。また、前記第１の固定具に設けられる係止部は、前記係合穴に挿通される差込み部と、前記取付位置と保持位置との間で移動させるための操作部とを兼用していることが好ましい。
【０００９】
また、前記ロック機構を、前記遊技盤に制御回路ユニットを取り付けるときの取付位置と、前記遊技盤と制御回路ユニットとを一体に保持可能とするための保持位置との間で移動可能な係止フック部を有する第１の固定具と、前記保持位置にて前記係止フック部と係合させる移動空間を備えた係合部を有する第２の固定具とから構成し、前記第１の固定具を前記遊技盤又は制御回路ユニットの一方に、前記第２の固定具を他方に設けたことが好ましい。
【００１０】
また、前記支持部材を、少なくとも前記制御回路装置を組み付け得る組付け部を備えた部材と、前記ロック機構を構成する第１の固定具又は第２の固定具を備えた部材とを含む複数の部材から構成したことが好ましい。
【００１１】
また、前記ロック機構により一体化された遊技盤及び制御回路ユニットは、封印処理をして前記遊技機の遊技盤取付け部に組み込むことが好ましい。
【００１２】
【発明の実施の形態】
図１に本発明を用いたパチンコ機の外観を示す。パチンコ機２の本体枠３の内部には遊技盤４（図２参照）が配設されており、遊技盤４の前面には前面枠５が開閉自在に設けられている。この前面枠５の中央には開口５ａが形成されており、この開口５ａは前面枠５の裏側に取り付けられるガラス枠６（図２参照）のガラス板７により遮蔽されている。前面枠５の下方には、打球（遊技媒体）供給用の供給皿８及び遊技媒体となるパチンコ球の打ち出し強さを調節する操作ハンドル９が設けられている。遊技者が供給皿８にパチンコ球を投入すると、内部に設けられた通路によりパチンコ球は発射装置へと誘導される。そして、操作ハンドル９を操作して遊技盤４上にパチンコ球を打ち出す。なお、前面枠５が閉じているロック状態の場合には、遊技者や遊技場の作業者は、前面枠５の裏側に取り付けられたガラス板７を介して遊技盤４の遊技領域４ａ（図２参照）及び遊技領域４ａ上を流下していく打ち出されたパチンコ球を見ることはできるが、遊技盤４にはもちろんのこと、本体枠３の内部に備えられた電子機器にも触れることはできないようになっている。
【００１３】
図２に示すように、遊技盤４は、本体枠３側にある遊技盤取付け部３ａに対して着脱自在に取り付けられ、所定位置に保持される構成になっている。この遊技盤４の前面にはガイドレール１０及びレール飾り１１に囲まれた遊技領域４ａが形成され、始動入賞口１２、通常入賞口１３、アタッカ１４等のパチンコ球を入賞させる入賞部及びアウト口１５が配設されている。また、遊技領域４ａには、図示を省略した釘、風車などが設けられている。これらの構造物は公知であるので説明は省略する。なお、この遊技盤４には、後述する第２固定具３０が４カ所に取り付けられている（図３参照）。なお、本発明における固定具の位置及び取り付け個数は任意である。
【００１４】
図３に示すように、遊技盤４の後面には制御回路ユニット２０が取り付けられる。この制御回路ユニット２０は、主制御回路基板２１、副制御回路基板２２等の制御回路基板と、遊技媒体誘導部材となる球通路を備えた支持部材２３とから構成される。なお、上記制御回路基板は、不正防止のためのケースに収納されて支持部材２３に取り付けられる。支持部材２３は、詳細は説明しないが、始動入賞口１２、通常入賞口１３、アタッカ１４、アウト口１５に入ったパチンコ球を所定の受け部に導く役割を持つように設けられている。この支持部材２３の４カ所には第１固定具２５が取り付けられる。なお、この第１固定具２５は、第２固定具３０と係合することで保持状態とさせるロック機構３１を構成している。
【００１５】
図４は、第１固定具２５の後面側から見た正面図及びＡ−Ａ’の断面を示す断面図である。第１固定具２５は支持部材２３の４隅に設けられた台座２６に取り付けられる部材である。この第１固定具２５は、係止部２５ａと軸部２５ｂと操作部２５ｃとから構成された例えば操作つまみから形成される。この第１固定具２５は操作部２５ｃの操作により軸部２５ｂを中心にして、遊技盤４に対して制御回路ユニット２０を着脱自在とする取付位置（図６参照）と、遊技盤４に制御回路ユニット２０を保持する保持位置（図７参照）との間で回動自在となる。また、軸部２５ｂの長さは遊技盤４に取り付けられる第２固定具３０の厚みと、支持部材２３の台座２６の厚みとを合計した厚みよりも長くなっている（図６又は図７参照）。なお、符号２７は、第１固定具２５を台座２６に取り付ける際に差込み口となる係合部２５ａを挿通させるための開口である。
【００１６】
図５は第２固定具の正面図及びＢ−Ｂ’の断面を示す断面図である。第２固定具３０は、遊技盤４の４隅に形成された開口４ｂのそれぞれに、且つ遊技盤４の前面側から取り付けられる。この第２固定具３０は、端面に開口３１ａが形成された円筒形の台座３１と、抜け防止用のフランジ３２とから構成されている。台座３１に形成される開口３１ａは、直径Ｄ１の円と、この円と同心からなり、且つ直径Ｄ２（Ｄ２＞Ｄ１）の扇形を組み合わせた形状をしている。なお、直径Ｄ２の扇形で切り取られてない部分（符号３１ｂ）は、第１固定具２５を保持位置に向けて回転させた場合に、第１固定具２５の係合部２５ａと係合させる係合保持部となる（図７参照）。また、この係合保持部３１ｂは、第１固定具２５の軸部２５ｂの軸受け部としても機能する。
【００１７】
次に、本実施形態の作用について説明する。図３に示すように、支持部材２３に主制御回路基板２１、副制御回路基板２２等の制御回路装置を組み付けた制御回路ユニット２０を、遊技盤４の後面に取り付ける。この際、図６に示すように、第１固定具２５を取付位置に維持した状態で、第１固定具２５の係合部２５ａを遊技盤４に形成された第２固定具３０の台座３１に形成された開口３１ａに挿通させる。そして、図７に示すように、第１固定具２５を保持位置に回転させると、第１固定具２５の係合部２５ａが第２固定具３０の台座３１に形成された係合保持部３１ｂと係合して固定状態となり、制御回路ユニット２０が遊技盤４の後面に保持される。これにより、工具を使用しなくても制御回路ユニット２０を遊技盤４に保持することができる。また、不正に前記固定状態を解除できないように封印処理をする部材の組合せは、前記形態に拘わらず、適宜の構成からなるものでよい。
【００１８】
このようにして、制御回路ユニット２０が取り付けられた遊技盤には、図８に示すような封緘具３５を用いて遊技盤４、支持部材２３及び回路収納用ケース３６の封印処理を行った後に本体枠３に取り付けられる。これにより、保持状態から分離状態にしたときに痕跡を残すことができるため、制御回路基板等の不当な交換や不正行為を防止又は抑制することが可能となる。なお、封緘具の種類等については、図９に示すように、例えば一端に係止爪３７ａ、他端側にストッパ３７ｂが形成された専用の封緘具３７としてもよい。
【００１９】
また、回収されたパチンコ機の遊技盤から制御回路ユニット２０を分解する場合には、封緘具３５を取り外した後に、第１固定具２５の操作部２５ｃを保持位置から取付位置に回転させるだけでよいので、分解作業時の作業性を向上させることができる。
【００２０】
なお、本実施形態では、組付作業時及び分解作業時についてのみ説明したが、このような固定具を使用することで、制御回路ユニットの共通化及び制御回路ユニットの再利用が可能となり、パチンコ機のコストダウンを行うことが可能である。
【００２１】
本実施形態では、制御回路ユニット２０の支持部材２３に第１固定具２５を、遊技盤４に第２固定具３０をそれぞれ取り付けたが、これに限定する必要はなく、例えば支持部材２３に第２固定具を、遊技盤４に第１固定具をそれぞれ設けてもよい。この場合、図１０に示すように、遊技盤４０に取り付けられる第１固定具４１を、断面が楕円形のボス穴４２ａが形成された台座４２及びフランジ４３を有する金属又は樹脂製等の部材４３と、台座４２のボス穴４２ａに挿通される操作つまみ４４から構成する。この際、操作つまみ４４を備えた係止部材として軸支部４４ａ、回転軸部４４ｂ、操作係合部４４ｃから構成する。また、図１１に示すように、第２固定具４５を支持部材４６に形成された開口４６ａから構成し、この開口４６ａの周縁部４６ｂの外側に係止維持用のボス４７を形成する。
【００２２】
図１２及び図１３に示すように、主制御回路基板、副制御回路基板等の制御回路装置が取り付けられた支持部材４６を遊技盤４０に取り付ける際には、まず、取付位置にある操作つまみ４４の操作係合部４４ｃを開口４６ａに挿通させる。操作つまみ４４の操作係合部４４ｃを取付位置から保持位置へと回転させると、操作部４４ａと開口４６ａの周縁部４６ｂとが係合する。これにより、遊技盤４０に支持部材４６が固定保持される。
【００２３】
また、回転式のロック機構の他に、レバー式のロック機構（係止フックを用いたロック機構）を用いてもよい。この場合、例えば金属部材等を用いて形成された回動自在な係止レバーからなる第１固定具５１を構成し、支持部材５２に形成された開口５２ａに出入れ自在に取り付ける（図１４参照）。一方、第１固定具５１の係止爪５１ａに係合させるための係合部５３を有する回動空間を備えた第２固定具５４を遊技盤５５の開口５５ａに取り付ける（図１５参照）。図１４及び図１５に示すように、第１固定具５１及び制御回路装置が取り付けられた支持部材５２からなる制御回路ユニットを遊技盤５５に取り付ける際には、支持部材５２を遊技盤５５の第２固定具５４を配設した所定位置を勘案した状態で維持するようにして第１固定具５１を取付位置から保持位置へと回転させる。この第１固定具５１の回転により、第１固定具５１の係止爪５１ａが係合部５３と係合し、第１固定具５１と第２固定具５４とによるロックが行われる。これにより、支持部材５２が遊技盤５５の後面に保持される。
【００２４】
本実施形態では、制御回路ユニットを構成し、各制御回路装置を所定位置に組み付けるための支持部材を１つの部材から構成したが、これに限定する必要はなく、例えば複数個の部品から構成してもよい。図１６に示すように、制御回路ユニットの構成部材となる支持部材９０を遊技盤９５に形成された操作つまみ９６を挿通するための係合穴９１ａ，９２ａ，９３ａが設けられた部材９１〜９３と、主制御回路基板を含む制御回路装置が収納された収納ケース等を組み付けるための組付け部９４ａ，９４ｂを備えた部材９４とから構成する。なお、部材９１〜９３に設けられる係合穴９１ａ，９２ａ，９３ａは、ボス９１ｂ，９２ｂ，９３ｂの上面にそれぞれ設けられる。
【００２５】
支持部材９０の組み立て時には、ボス９１ｂを有する部材９１を制御回路基板が組み付けられる部材９４の上方に、ボス９２ｂ，９３ｂを有する部材９２，９３はその下方に、それぞれ図示しないビス等の固定部材により組み付ける。これにより、支持部材９０が完成する。図１７に示すように、支持部材９０を遊技盤９５の遊技領域が設けられた反対側となる後方から組み付ける際、遊技盤９５に設けられた操作つまみ９６を係合穴９１ａ，９２ａ，９３ａにそれぞれ挿通させ、操作つまみ９６を９０度回転させる。これにより、操作つまみ９６が前記契合穴に対して係止することとなり、支持部材９０と遊技盤９５とが一体的に保持される。なお、この状態で、支持部材９０に制御回路装置又は制御回路装置を収納した収納ケース等が組み付けられる。これにより、、係合穴９１ａ，９２ａ，９３ａを有する部材９１〜９３は、遊技盤９５に設けられる操作つまみ９７との対応関係を整えることにより、遊技盤構成に関係なく非交換部品として共通化を行うことができる。なお、制御回路装置、又は制御回路装置が収納された収納ケース等は、遊技盤に制御回路ユニットの構成部材となる支持部材を組み付ける前に支持部材に組み付けてもよいし、組み付けた後に支持部材に組み付けてもよい。
【００２６】
また、この他に、支持部材を球通路を有する部材と、遊技盤に組み付けるための部材との２個の部材を組み合せた構成としてもよい。以下では、球通路を有する部材を交換可能枠として、遊技盤に組み付けるための部材を支持枠本体として説明する。図１８に示すように、交換可能枠１００の前面には複数のリブ１０１が設けられ、これらリブ１０１の間の隙間が球通路１０２となる。なお、これら複数のリブ１０１は、遊技盤１１２に設けられた入賞口の位置に合うように配設されている。この交換可能枠１００の後面には、主制御回路基板を含む所定制御装置とを電気的に接続するための中継基板等を組み付けるための組付け部１０３（図１９参照）が設けられる。なお、この場合、遊技盤１０５の入賞口の配置位置等に合わせた交換可能枠が、その配置位置に応じた個数分選択可能に設けられている。以下では、交換可能枠が２個（符号１００、１１０）の場合について説明する。
【００２７】
一方、支持枠本体１０６は、その後面に主制御回路基板等の制御回路装置が収納された収納ケース（図示せず）が複数組み付けられる。なお、上記収納ケースの中には、支持枠本体１０６と、交換可能枠１００とに跨って組み付けられるものもある。この支持体本体１０６は、遊技盤１０５の構成に係わらず同一構成として使用可能となっており、この支持枠本体１０６の上部及び下部には、遊技盤１１２の係止つまみ１１３が挿通される係合穴１０６ａを有するボス１０６ｂが設けられる。
【００２８】
この場合、交換可能枠１００又は交換可能枠１１０のうち、遊技盤１０５の入賞口に合わせたリブ１０１を有する交換可能枠を選択し、その交換可能枠を支持枠本体２２に例えばビス等の固定部材を用いて組付け固定し、支持枠１１５を組み立てる。図１９に示すように、遊技盤１１２のボス１１２ａを支持枠１１５のボス１０６ｂの内部に挿入し位置決めする。この際、支持部材１１５のボス１０６ｂに設けられた係合穴１０６ａには、遊技盤１１２に設けられた操作つまみ１１３が挿通される。そして、操作つまみ１１３を９０度回転させることで、操作つまみ１１３が前記契合穴に対して係止することとなり遊技盤１１２と支持部材１１５とが一体に保持される。その後、制御回路装置が収納された収納ケース等を支持部材１１５に組み付ける。これにより、遊技盤１１２に設けられる操作つまみ１１３の位置が機種に関係なく同じであれば、支持枠本体１０６を遊技盤構成に関係ない非交換部品として共通化を図ることができる。なお、各制御回路装置が収納された収納ケースは、遊技盤に支持部材を組み付ける前に組み付けてもよいし、遊技盤に支持部材を組み付ける前に組み付けてもよい。
【００２９】
なお、支持部材を構成する部材の個数は、上記に限定する必要はなく、遊技盤の形状等により適宜の個数としてよいものとする。
【００３０】
【発明の効果】
以上のように、本発明の遊技機によれば、遊技機に配設する制御回路装置と、この制御回路装置を取り付ける支持部材とを制御回路ユニットからなる一体のユニットとして構成し、前記制御回路ユニットと前記遊技盤とを係合して保持するロック機構を、前記制御回路ユニット又は前記遊技盤の少なくとも一方に設けたから、釘やネジ等を使わなくても制御回路ユニットととして遊技盤に組み付けることができるので、遊技機の組立工数を少なくすることができる。また、遊技機の回収時の分解作業も簡単に行うことができるとともに、分解された部品を壊すことなく再利用することが可能となる。
【００３１】
また、制御回路装置は、遊技媒体を所定の受け部へと誘導させるための遊技媒体誘導部材に取り付けられた制御回路ユニットとして遊技盤に取り付けられるとともに、該制御回路ユニットを遊技盤の後面に着脱自在に保持するためのロック機構を、少なくとも遊技盤又は前記制御回路ユニットのいずれか一方に設けたから、釘やネジ等を使わなくても制御回路ユニットととして遊技盤に組み付けることができるので、遊技機の組立工数を少なくすることができる。また、遊技機の回収時の分解作業も簡単に行うことができるとともに、分解された部品を壊すことなく再利用することが可能となる。
【００３２】
また、前記支持部材を、少なくとも前記制御回路装置を組み付け得る組付け部を備えた部材と、前記ロック機構を構成する第１の固定具又は第２の固定具を備えた部材とを含む複数の部材から構成したから、支持部材を構成する部材を交換部及び非交換部に分別することができ、部品の共通化及び有効なリサイクルを行うことが可能となる。
【００３３】
また、ロック機構により一体化された遊技盤及び制御回路ユニットは、封印処理が行われた後に前記遊技機の遊技盤取付け部に組み込まれるから、制御回路ユニットを不正に分解して交換する行為の防止又は抑制を行うことができる。
【図面の簡単な説明】
【図１】本発明を実施したパチンコ機の外観を示す斜視図である。
【図２】本体枠と遊技盤とを分解して示す斜視図である。
【図３】遊技盤及び制御回路ユニットの構成を示す説明図である。
【図４】第１固定具の正面図及びＡ−Ａ’の断面を示す断面図である。
【図５】第２固定具の正面図及びＢ−Ｂ’の断面を示す断面図である。
【図６】第１固定具が取付位置にある場合の正面図及びＣ−Ｃ’の断面を示す断面図である。
【図７】第１固定具が保持位置にある場合の正面図及びＤ−Ｄ’の断面を示す断面図である。
【図８】封印処理の一例を示す斜視図である。
【図９】封印処理の一例を示す斜視図である。
【図１０】第１固定具を遊技盤に設けた場合の第１固定具の正面図及びＥ−Ｅ’の断面を示す断面図である。
【図１１】第２固定具を支持部材に設けた場合の第２固定具の正面図及びＦ−Ｆ’の断面を示す断面図である。
【図１２】第１固定具が取付位置にある場合の正面図及びＧ−Ｇ’の断面を示す断面図である。
【図１３】第１固定具が保持位置にある場合の正面図及びＨ−Ｈ’の断面を示す断面図である。
【図１４】第１固定具が係止レバーからなる場合で、且つ第１固定具が取付位置にある場合のロック機構の構成を示す説明図である。
【図１５】第１固定具が係止レバーからなる場合で、且つ第１固定具が保持位置にある場合のロック機構の構成を示す説明図である。
【図１６】支持部材を、複数の部材から構成した場合の一例を示す斜視図である。
【図１７】複数の部材からなる支持体を用いた遊技盤ユニットの構成の一例を示す斜視図である。
【図１８】支持部材を、複数の部材から構成した場合の一例を示す斜視図である。
【図１９】複数の部材からなる支持体を用いた遊技盤ユニットの構成の一例を示す斜視図である。
【符号の説明】
２  パチンコ機
３  本体枠
４，９５，１１２  遊技盤
２０  制御回路ユニット
２３，９０，１１５  支持部材
２５，４４，５１  第１固定具
３０，４５，５４  第２固定具
３１  ロック機構
３５，３７  封緘具
【図１】
2004174212.tif 000003
【図２】
2004174212.tif 000004
【図３】
2004174212.tif 000005
【図４】
2004174212.tif 000006
【図５】
2004174212.tif 000007
【図６】
2004174212.tif 000008
【図７】
2004174212.tif 000009
【図８】
2004174212.tif 000010
【図９】
2004174212.tif 000011
【図１０】
2004174212.tif 000012
【図１１】
2004174212.tif 000013
【図１２】
2004174212.tif 000014
【図１３】
2004174212.tif 000015
【図１４】
2004174212.tif 000016
【図１５】
2004174212.tif 000017
【図１６】
2004174212.tif 000018
【図１７】
2004174212.tif 000019
【図１８】
2004174212.tif 000020
【図１９】
2004174212.tif 000021